(57)【特許請求の範囲】
【請求項１】
一面に開口窓を設けた灯具本体と、灯具本体内に配置されたランプと、灯具本体内に配置されランプから放射された光を前記開口窓から出射させる凹面状の反射板と、反射板の少なくとも一部とランプとの一方を可動部材とし可動部材を前記開口窓の開口面に交差する方向に直進移動させる駆動装置と、可動部材に一体に結合され灯具本体の内部に設けた２本のガイド棒に沿って直進移動するスライダとを備え、駆動装置は、灯具本体の周壁の外側面に露出し回転操作されるつまみと、つまみと一体に回転し灯具本体の周壁に挿通される回転軸と、回転軸とスライダとの一方にカムを設けるとともに他方にカムフォロワを設けてカムとカムフォロワとにより構成され回転軸の回転を前記可動部材の直進移動に変換する変換機構とを備え、スライダは、Ｖ字状に形成され各ガイド棒に先端部がそれぞれ係合するランナを備えることを特徴とする可変配光型照明器具。
【請求項２】
前記灯具本体の周壁において前記回転軸が挿通される部位に形成された貫通孔の内径よりも、前記つまみの外径のほうが大きいことを特徴とする請求項１記載の可変配光型照明器具。
【請求項３】
前記可動部材の移動方向における反射板の投影面内に前記変換機構および前記スライダを配置したことを特徴とする請求項１記載の可変配光型照明器具。
【請求項４】
前記灯具本体と前記つまみとの対向面の一方につまみの回転方向の全周に亙って凹凸が交互に連続するラッチ部を形成し、ラッチ部の凹凸に係脱する保持片をラッチ部に弾接させる保持ばねを他方に固定したことを特徴とする請求項１ないし請求項３のいずれかに記載の可変配光型照明器具。
【発明の詳細な説明】
【０００１】
【発明の属する技術分野】
本発明は、ランプと反射板との相対位置を変化させることにより配光特性を調節可能にした可変配光型照明器具に関するものである。
【０００２】
【従来の技術】
従来より提供されているこの種の可変配光型照明器具として、図１８ないし図２１に示す構成のものがある。この照明器具は、天井のような取付面に一端を取り付けたアーム２１の他端に灯具本体１０を連結したものであり、灯具本体１０にはランプ１および反射板２が配置されている。灯具本体１０は一面に開口窓１１を有し、この開口窓１１を通してランプ１からの光を出射させるようになっている。ランプ１は灯具本体１０内に配置されたソケット３に保持され、ランプ１の発光部分の周囲に椀状に形成された凹面鏡である反射板２が配置される。
【０００３】
この構成の照明器具は、たとえば美術館や博物館における展示物を照明するスポットライトとして用いられる。この種の用途では展示物の大きさに合わせて照明範囲を調節することが必要であるから、照明範囲の制御、つまり配光の制御が必要になる。そこで、ランプ１と反射板２との位置を相対的に移動させることによって、照明範囲を調節するようにした照明器具が提供されている。
【０００４】
図示する可変配光型照明器具は、灯具本体１０に対してランプ１の位置が固定されたものであり、図に二点鎖線で示すように、反射板２が灯具本体１０に対して前後に移動可能になっている。ここで、開口窓１１の開口面に直交する方向を前後方向とし、ランプ１に対して開口窓１１側を前側とする。反射板２は灯具本体１０に対して前後方向の軸の回りに回転可能となった内筒１２に固定され、内筒１２には灯具本体１０の周壁を通して灯具本体１０の外側に突出するレバー１３が一体に結合されている。レバー１３は、灯具本体１０の周壁に前後方向に直交する面に対して斜めに交差するように形成されたガイド孔１４に挿通されており、レバー１３をガイド孔１４に沿って移動させると、内筒１２が回転すると同時に前後に移動するようになっている。
【０００５】
このように内筒１２が前後に移動すれば、反射板２も前後に移動するから、ランプ１に対する反射板２の相対位置を変化させることができ、配光を制御することができるのである。つまり、照明する面までの距離が一定であるとすれば、反射板２の位置を調節することによって、照明する面に形成されるスポットの大きさが変化する。このことによって、美術館や博物館で用いる際に展示物の大きさに応じた照明範囲の調節が可能になる。
【０００６】
【発明が解決しようとする課題】
ところで、上述の構成によって反射板２を移動させるには、レバー１３の移動範囲分の長さのガイド孔１４が必要になるから、レバー１３の位置する部位以外ではガイド孔１４が露出することになる。つまり、灯具本体１０の内部からの光の一部がガイド孔１４から漏れることがあり、照明効果を損なうという問題が生じる。
【０００７】
本発明は上記事由に鑑みて為されたものであり、その目的は、配光を調節可能としながらも調節用の操作部付近からの光漏れを抑制した可変配光型照明器具を提供することにある。
【０００８】
【課題を解決するための手段】
請求項１の発明は、一面に開口窓を設けた灯具本体と、灯具本体内に配置されたランプと、灯具本体内に配置されランプから放射された光を開口窓から出射させる凹面状の反射板と、反射板の少なくとも一部とランプとの一方を可動部材とし可動部材を開口窓の開口面に交差する方向に直進移動させる駆動装置と、可動部材に一体に結合され灯具本体の内部に設けた２本のガイド棒に沿って直進移動するスライダとを備え、駆動装置は、灯具本体の周壁の外側面に露出し回転操作されるつまみと、つまみと一体に回転し灯具本体の周壁に挿通される回転軸と、回転軸とスライダとの一方にカムを設けるとともに他方にカムフォロワを設けてカムとカムフォロワとにより構成され回転軸の回転を可動部材の直進移動に変換する変換機構とを備え、スライダは、Ｖ字状に形成され各ガイド棒に先端部がそれぞれ係合するランナを備えるものである。
【０００９】
請求項２の発明は、請求項１の発明において、灯具本体の周壁において回転軸が挿通される部位に形成された貫通孔の内径よりも、つまみの外径のほうが大きいものである。
【００１１】
請求項３の発明は、請求項１の発明において、可動部材の移動方向における反射板の投影面内に変換機構およびスライダを配置したものである。
【００１２】
請求項４の発明は、請求項１ないし請求項３の発明において、灯具本体とつまみとの対向面の一方につまみの回転方向の全周に亙って凹凸が交互に連続するラッチ部を形成し、ラッチ部の凹凸に係脱する保持片をラッチ部に弾接させる保持ばねを他方に固定したものである。
【００１３】
【発明の実施の形態】
（実施形態１）
本実施形態は、図１ないし図３に示すように、天井面等の取付面に上端部が取り付けられるアーム２１を備え、アーム２１の下端部に灯具本体１０が連結される。図示例ではアーム２１の上端部に配線ダクト用の連結具２２を設けてある。配線ダクトは下面側が開放された断面略Ｃ字形に形成されたダクトであって、全長に亙って内側面に一対の導電板を設けたものである。連結具２２は上端部が配線ダクト内に収納され、連結具２２に設けた集電子２２ａを導電板に接触させることによって配線ダクトから給電される。また、連結具２２は配線ダクトに対して摺動可能に連結され、配線ダクトの長手方向の任意の位置に位置させることができるようになっている。連結具２２には上下方向に移動可能であって、上側位置で配線ダクトの開口内に係合することによって連結具２２の配線ダクトに対する回転を防止するストッパ２２ｂが設けられる。このストッパ２２ｂを下側位置に下げると、配線ダクトとの係合状態を解除することができ、配線ダクトから外すことができる。
【００１４】
アーム２１の上端部は連結具２２に対して３６０度より小さい規定の角度範囲で回動可能となるように結合される。つまり、アーム２１の上端部は円筒状であって連結具２２に挿入されるとともに、連結具２２に対して抜け止めがなされる。アーム２１内には一端を集電子２２ａに電気的に接続した電線２３が挿通され、電線２３の他端は灯具本体１０に収納されたソケット３に接続される。アーム２１の下端部には軸ねじ２４を用いて灯具本体１０が結合される。この構成により、灯具本体１０はアーム２１に対して上下方向に首振り可能になる。つまり、灯具本体１０は、配線ダクトに対する連結具２２の摺動により配線ダクトを敷設している範囲内で任意の位置に移動させることができ、連結具２２に対するアーム２１の回動により上下方向の軸周りの任意の方向に向けることができ、さらにアーム２１に対する灯具本体１０の回動により上下方向の任意の方向に向けることができる。このように、灯具本体１０の位置および向きを高い自由度で調節することができるから、目的とする照明対象の位置に応じて灯具本体１０の位置および向きを適正に調節することができる。
【００１５】
ところで、灯具本体１０は、比較的小径の円筒状に形成されアーム２１に連結されるソケット収納体１０ａと、比較的大径の円筒状に形成されソケット収納体１０ａの一端に結合されたランプ収納体１０ｂとを備える。ソケット収納体１０ａとランプ収納体１０ｂとは軸を略一致させた形で一体に連結される。以下ではランプ収納体１０ｂの軸方向を前後方向と呼び、ソケット収納体１０ａ側を後側とする。ソケット収納体１０ａとランプ収納体１０ｂとは組立ねじ１５を用いて結合される。
【００１６】
ソケット３はソケット収納体１０ａの中に固定ねじ１６を用いて固定され、ソケット３に保持されたランプ１はランプ収納体１０ｂの中に配置される。ランプ１には白熱電球を用いる。ランプ収納体１０ｂの前面には開口窓１１が設けられ、ランプ収納体１０ｂの後面は密閉される。開口窓１１は、ガラス板のような透光板１１ａと、透光板１１ａを保持する窓枠１１ｂとからなり、窓枠１１ｂを灯具本体１０に対して凹凸結合することによって灯具本体１０に対して着脱可能に取り付けられる。灯具本体１０への開口窓１１の取り付けに際しては、窓枠１１ｂを灯具本体１０に位置合わせして窓枠１１ｂを回転させれば、灯具本体１０に開口窓１１が固定されるようになっている。また、灯具本体１０から開口窓１１を外したときに開口窓１１が落下するのを防止するために、灯具本体１０に一端を固定した落下防止紐１７の他端に開口窓１１を取り付けてある。
【００１７】
ランプ収納体１０ｂの内部にはランプ１とともに反射板２も収納されている。反射板２は、固定反射板２ａと可動反射板２ｂとの２部材からなり、固定反射板２ａと可動反射板２ｂとはともに内周面が放物面状に形成され、中心軸を灯具本体１０の前後方向の中心線にほぼ一致させる形でランプ収納部１０ｂに収納される。固定反射板２ａはランプ収納部１０ｂの後壁内周面に突設されたＵ字状の突台１０ｆに支持された形でランプ収納部１０ｂに固定される。固定反射板２ａの中央部には開口が形成され、この開口にはソケット３に保持されたランプ１が挿通される。また、可動反射板２ｂは固定反射板２ａの前側において、図１に実線で示す位置と二点鎖線で示す位置との間でランプ収納部１０ｂに対して前後方向に移動可能に配置される。
【００１８】
次に、本発明の要旨である可動反射板２ｂを移動させる構成について説明する。可動反射板２ｂはランプ収納体１０ｂの周壁の外側面に露出するつまみ３０を回転操作すると前後方向に移動する。図１、図４、図５、図６に示すように、つまみ３０は回転軸３０ａを備え、回転軸３０ａはランプ収納体１０ｂの周壁に設けた貫通孔１０ｃに挿通される。ここに、つまみ３０の外径は貫通孔１０ｃの内径よりも大きく設定されている。また、つまみ３０の一部はランプ収納体１０ｂの周壁の下面外側に開口する凹所１０ｄに一部が挿入される。つまり、つまみ３０は灯具本体１０の下面側に位置するから、つまみ３０の操作が容易になる。貫通孔１０ｃは回転軸３０ａを挿通するのに必要な程度の大きさでよいから、ランプ収納体１０ｂに収納されたランプ１からの光が貫通孔１０ｃを通して漏れたとしても、その量はわずかであり、しかも貫通孔１０ｃよりもつまみ３０のほうが大きく、さらには貫通孔１０ｃを形成している凹所１０ｄの底面を覆う形でつまみ３０が配置されるから、ランプ１からの光が外部に漏れるのを防止することができる。回転軸３０ａの先端部には結合ねじ３１を用いてカム３２が固定される。回転軸３０ａの先端部は断面非円形に形成され（図１０参照）、カム３２は回転軸３０ａに対して回転止めされている。また、カム３２には回転軸３０ａとは異なる位置にビスよりなるカムピン３３を備える。
【００１９】
一方、ランプ収納体１０ｂには前後方向に移動自在となったスライダ３４が配設される。スライダ３４は、図７に示すように、中央片３４ａの両側にランナ保持片３４ｂが延設され各ランナ保持片３４ｂから取付脚片３４ｃが延設された形状に形成される。各ランナ保持片３４ｂには略Ｖ字形に形成されたランナ３５がそれぞれ取付ねじ３６によって固定される。ランナ３５の先端部にはＪ字状に曲成された摺動部３５ａが形成され、摺動部３５ａはランプ収納体１０ｂに一体に形成されたガイド棒３７に係合した形でガイド棒３７に沿って移動する。ガイド棒３７はランプ収納体１０ｂの周壁内周面の２箇所に一体に突設された支持台３７ａからそれぞれ前方に突設されている。各ガイド棒３７はランプ収納体１０ｂの周壁内周面からは離間している。したがって、スライダ３４はガイド棒３７およびランナ３５により移動方向が規制され、前後方向にのみ直進移動することになる。
【００２０】
スライダ３４の中央片３４ａにはカムピン３３が挿通される左右方向の長孔３４ｄが形成される。つまり、つまみ３０を回転させると、図９のようにカム３２が回転し、カムピン３３が前後に移動して長孔３４ｄ内を移動するから、スライダ３４が前後に移動する。ところで、可動反射板２ｂの前端縁には外鍔部２ｃ（図１参照）が形成され、スライダ３４に設けた取付脚片３４ｃは外鍔部２ｃの後面に当接した形で可動反射板２ｂに固着される。外鍔部２ｃは配光には関与しないから、取付脚片３４ｃとの結合部を設けていても影響はない。図９ (ａ）〜（ｃ）では、つまみ３０を左回りに回転させることにより可動反射板２ｂを後方に移動させて照明範囲を広げる状態を示している。このように、長孔３４ｄを有する中央片３４ａがカムフォロワとして機能し、カム３２および中央片３４ａによりつまみ３０の回転をスライダ３４の直進移動に変換する変換機構が構成される。また、つまみ３０、回転軸３０ａ、カム３２、カムピン３３、スライダ３４、ランナ３５、ガイド棒３７は駆動装置を構成する。
【００２１】
しかして、つまみ３０の先端面には溝３０ｂ（図３参照）を形成してあり、マイナスドライバのような工具や専用の工具を用いることによって、つまみ３０の回転操作が容易になるようにしてある。つまみ３０は灯具本体１０の下面側に位置するから、つまみ３０を下から容易に操作することができる。なお、駆動装置はつまみ３０を除いて反射板２の前後方向の投影面内に配置されており、灯具本体１０の直径が大きくなるのを防止してある。
【００２２】
ところで、つまみ３０の位置が容易に変化することがないように、つまみ３０を灯具本体１０に対して摩擦力で固定することが考えられるが、摩擦力が大きくなるように設計すると、つまみ３０の操作時に大きな力が加わって、灯具本体１０の向きが変化する可能性がある。これに対して、摩擦力を小さく設定すると、振動や衝撃力が作用したときに反射板（可動反射板２ｂ）２の位置が変化することになる。そこで、本実施形態では、図５、図６に示すように、つまみ３０と灯具本体１０との対向面に板ばねよりなる保持ばね４１を介装するとともに、図１０のようにつまみ３０における上記対向面に周方向の全周に亙って凹凸が交互に連続するラッチ部４２を形成している。保持ばね４１は、図１１に示すように、内リング部４１ａと外リング部４１ｂとの一部を連結し、外リング部４１ｂの一部に保持片４１ｃを突設したものであって、外リング部４１ｂにおける保持片４１ｃの近傍が、内リング部４１ａに対して厚み方向に離間するように折曲形成されている。つまり、つまみ３０と灯具本体１０（凹所１０ｄの底面）との間に保持ばね４１を挟んだときに、図１３に示すように、保持片４１ｃがラッチ部４２に弾接し、保持片４１ｃとラッチ部４２とによりつまみ３０の回転止めがなされるようにしてある。なお、保持ばね４１には一対の係止突片４１ｄが突設され、係止突片４１ｄが灯具本体１０の外側面に形成した係止溝１０ｅ（図１２参照）に係合することによって、回転軸３０ａの回りで保持ばね４１が回転するのを防止してある。
【００２３】
以上説明したように、本実施形態では、従来構成に比較して開口量の小さい貫通孔１０ｃを形成するだけで反射板２の位置調節が可能になり、しかもつまみ３０で貫通孔１０ｃを覆うからランプ１からの光が不要個所に漏れるのを確実に防止することができる。さらに、つまみ３０の回転を保持ばね４１とラッチ部４２とにより係止するから、つまみ３０を比較的小さい力で回転させることができて反射板２の位置調節の際に灯具本体１０の向きを変えてしまうという不都合を防止することができ、なおかつ振動や衝撃力や冷熱サイクルなどの影響でつまみ３０の位置が変化するのを防止することができる。加えて、つまみ３０の回転操作時に保持ばね４１の保持片４１ｃとラッチ部４２の凹凸とによりクリック感が生じるから、操作感に高級感を与えることができる。しかも、つまみ３０と灯具本体１０との対向面間に保持ばね４１が介在することによって、つまみ３０のがたつきが抑制されることになる。
【００２４】
ところで、上述した構成のスポットライトでは、ランプ１や反射板２が直接見えるとグレアが生じるから、グレアの防止のためにランプ１や反射板２が直視される範囲を制限する必要がある。また、可動反射板２ｂの移動によって配光を制御するから、配光を反射板２のみによって制御することができるように、ランプ１からの直射光が前方に放射されるのを防止することが必要である。そこで、開口窓１１の後方にはランプ１の前方を覆うように一端面が閉塞された有底円筒状のグレア防止部材５１を配置してある。グレア防止部材５１は、たとえば白色の部材であってランプ１からの直射光が前方に漏れるのを防止できる程度の大きさに形成される。グレア防止部材５１には支持脚５２が結合され、支持脚５２の先端部はねじなどを用いて窓枠１１ｂの後面に固定される。したがって、開口窓１１を灯具本体１０に装着した状態ではグレア防止部材５１も灯具本体１０に固定される。また、開口窓１１を灯具本体１０から取り外せばグレア防止部材５１も灯具本体１０から取り外されるから、ランプ１を容易に交換することができる。なお、支持脚５２の先端部は灯具本体１０の前端部内周面に形成した受け台５３に当接し、開口窓１１と受け台５３との間に支持脚５２の先端部が挟持される形となって、支持脚５２の固定強度が高められている。
【００２５】
（実施形態２）
実施形態１では、保持ばね４１を灯具本体１０に固定しラッチ部４２をつまみ３０に形成していたが、本実施形態は、図１４ないし図１７に示すように、ラッチ部４２を灯具本体１０における凹所１０ｄの底面に形成し、つまみ３０に保持ばね４１を取り付けたものである。したがって、つまみ３０における灯具本体１０との対向面に係止溝３０ｃを形成し、保持ばね４１の係止突片４１ｄを係止溝３０ｃに係合させてある。保持ばね４１は実施形態１と同形状のものを用いることができる。他の構成は実施形態１と同様であり、同様の機能を有する。
上述した実施の形態では、反射板２の一部を可動部材としてランプ１に対して移動させる例を示したが、ランプ１（ソケット３）を可動部材として反射板２に対して移動させる構成を採用することも可能である。
【００２６】
【発明の効果】
請求項１の発明の構成によれば、つまみの回転操作によって反射板の位置を調節するから、灯具本体に形成される貫通孔は回転軸の直径と同程度であり、ランプからの光が貫通孔を通して漏れたとしても、従来構成に比較すると漏光量は大幅に低減される。また、つまみの回転をカムとカムフォロワとによりスライダの直進移動に変換するから、つまみを小さな操作力で操作しながらも反射板の移動距離を比較的大きくとることが可能になる。しかも、カムとカムフォロワとにより変換機構を構成するから、比較的小型の変換機構で回転を直進移動に変換することができ、灯具本体の小型化につながる。さらに、スライダは灯具本体の内部に設けた２本のガイド棒に先端部がそれぞれ係合するＶ字状のランナを備えるから、スライダは各ランナの先端部の２箇所でガイド棒に係合しガイド棒およびランナにより移動方向が規制されて直進移動する。
【００２７】
請求項２の発明は、請求項１の発明において、灯具本体の周壁において回転軸が挿通される部位に形成された貫通孔の内径よりも、つまみの外径のほうが大きいものであり、つまみの外径を貫通孔の内径よりも大きく設定していることによて、貫通孔から漏光したとしてもつまみにより遮光され、不要な漏光を防止することができる。
【００２９】
請求項３の発明は、請求項１の発明において、可動部材の移動方向における反射板の投影面内に変換機構およびスライダを配置したものであり、灯具本体の内径を反射板の外径とほぼ等しく設定することができ、灯具本体の小型化につながる。
【００３０】
請求項４の発明は、請求項１ないし請求項３の発明において、灯具本体とつまみとの対向面の一方につまみの回転方向の全周に亙って凹凸が交互に連続するラッチ部を形成し、ラッチ部の凹凸に係脱する保持片をラッチ部に弾接させる保持ばねを他方に固定したものであり、回転操作は小さい力で行なえるようにしながらも、ラッチ部と保持ばねとによりつまみの回転が係止されているから、振動や冷熱サイクルによる反射板の移動を防止することができる。しかも、つまみの回転操作時に保持片とラッチ部とが係合してクリック感を与えるから、操作感に高級感が得られる。
【図面の簡単な説明】
【図１】本発明の実施形態１を示す縦断面図である。
【図２】同上の側面図である。
【図３】同上の下面図である。
【図４】同上の横断面図である。
【図５】同上の要部断面図である。
【図６】同上の要部分解断面図である。
【図７】同上に用いるスライダを示し、 (ａ）は正面図、 (ｂ）は下面図である。
【図８】同上における灯具本体の要部断面図である。
【図９】同上のカムとスライダとの関係を示す動作説明図である。
【図１０】同上に用いるつまみを示す平面図である。
【図１１】同上に用いる保持ばねを示す平面図である。
【図１２】同上に用いる灯具本体の要部下面図である。
【図１３】同上の要部断面図である。
【図１４】本発明の実施形態２を示す要部断面図である。
【図１５】同上の要部分解断面図である。
【図１６】同上に用いるつまみを示す平面図である。
【図１７】同上に用いる灯具本体の要部下面図である。
【図１８】従来例を示す縦断面図である。
【図１９】同上の一部切欠した側面図である。
【図２０】同上の正面図である。
【図２１】同上の一部切欠した下面図である。
【符号の説明】
１  ランプ
２  反射板
２ａ  固定反射板
２ｂ  可動反射板
１１  開口窓
１０  灯具本体
１０ｃ  貫通孔
３０  つまみ
３０ａ  回転軸
３２  カム
３４  スライダ
３４ｄ  長孔
３４ａ  中央片３４ａ
３５  ランナ
３７  ガイド棒
４１  保持ばね
４１ｃ  保持片
４２  ラッチ部
【図１】
0003707931.tif 000002
【図２】
0003707931.tif 000003
【図３】
0003707931.tif 000004
【図４】
0003707931.tif 000005
【図５】
0003707931.tif 000006
【図６】
0003707931.tif 000007
【図７】
0003707931.tif 000008
【図８】
0003707931.tif 000009
【図９】
0003707931.tif 000010
【図１０】
0003707931.tif 000011
【図１１】
0003707931.tif 000012
【図１２】
0003707931.tif 000013
【図１３】
0003707931.tif 000014
【図１４】
0003707931.tif 000015
【図１５】
0003707931.tif 000016
【図１６】
0003707931.tif 000017
【図１７】
0003707931.tif 000018
【図１８】
0003707931.tif 000019
【図１９】
0003707931.tif 000020
【図２０】
0003707931.tif 000021
【図２１】
0003707931.tif 000022